(57)【特許請求の範囲】
【請求項１】
災害時などの緊急時に、緊急情報通知装置が事業者の提供する緊急情報通知サービスに予め加入しているユーザを検索し、検索したユーザが使用している情報端末に対して、前記緊急情報通知装置から通信ネットワークを介して緊急情報を通知する緊急情報通知システムであって、
前記緊急情報通知装置は、前記緊急時に緊急情報通知用プログラムを前記情報端末へ配信する配信手段と、前記情報端末から位置情報の返信を受信する第１の受信手段と、該第１の受信手段により受信した該位置情報に基づいて前記緊急時の避難場所及び避難経路を含む地図情報を作成して前記情報端末へ送信する第１の送信手段とを有し、
前記情報端末は、前記緊急情報通知装置から配信された前記緊急情報通知用プログラムをダウンロードして自動起動するプログラム受信手段と、ダウンロードされた前記緊急情報通知用プログラムに従い、自装置が存在する位置情報を取得して前記緊急情報通知装置へ送信する第２の送信手段と、前記緊急情報通知装置から送信された前記地図情報を受信する第２の受信手段と、前記第２の受信手段により受信された前記地図情報を、前記緊急情報通知用プログラムに従い画面に表示する表示手段とを有することを特徴とする緊急情報通知システム。
【請求項２】
前記緊急情報通知装置の前記配信手段は、前記緊急情報通知用プログラムとしてＪａｖａ（登録商標：以下同じ）アプリケーションプログラムを配信する手段であることを特徴とする請求項１記載の緊急情報通知システム。
【請求項３】
前記情報端末は、前記プログラム受信手段により前記Ｊａｖａアプリケーションプログラムを受信して自動起動する携帯電話端末であり、前記第２の送信手段は前記位置情報として、該携帯電話端末が無線通信をする基地局の情報を送信する手段であり、前記通信ネットワークは携帯電話網であることを特徴とする請求項２記載の緊急情報通知システム。
【請求項４】
前記情報端末は、前記地図情報以外の他の緊急情報を前記緊急情報通知装置へ要求する要求手段と、該要求手段により要求した前記他の緊急情報を前記緊急情報通知装置から受信して前記緊急情報通知用プログラムに従い画面に表示する他の情報表示手段を更に有し、前記緊急情報通知装置は、前記情報端末から要求された前記他の情報を作成して前記情報端末へ送信する第３の送信手段を更に有することを特徴とする請求項１乃至３のうちいずれか一項記載の緊急情報通知システム。
【請求項５】
前記緊急情報通知装置は、前記緊急時に前記配信手段により前記緊急情報通知用プログラムを配信した情報端末からの前記位置情報の返信を前記第１の受信手段により受信できないときは、その位置情報の返信を受信できない情報端末に対して、特定箇所に音声又はプログラムによるデータ通信にて安否の確認ができる機能を持たせた再送用緊急情報通知用プログラムを間欠的に再送する再送手段と、該再送用緊急情報通知用プログラムに対する前記情報端末からの前記データ通信による安否情報の返信を受信するデータ通信受信手段とを更に有し、
前記情報端末は、前記緊急情報通知装置からデータ通信にて送信された前記再送用緊急情報通知用プログラムをダウンロードして自動起動する第２のプログラム受信手段と、ダウンロードされた前記再送用緊急情報通知用プログラムに従い、前記安否情報を前記緊急情報通知装置に対してデータ通信にて送信する安否情報送信手段とを更に有することを特徴とする請求項１乃至４のうちいずれか一項記載の緊急情報通知システム。
【請求項６】
災害時などの緊急時に、緊急情報通知装置から通信ネットワークを介して緊急情報が通知される、事業者の提供する緊急情報通知サービスに予め加入しているユーザが使用している情報端末であって、
前記緊急情報通知装置から配信された緊急情報通知用プログラムをダウンロードして自動起動するプログラム受信手段と、
ダウンロードされた前記緊急情報通知用プログラムに従い、自装置が存在する位置情報を取得して前記緊急情報通知装置へ送信する送信手段と、
前記緊急情報通知装置が受信した前記位置情報に基づいて作成して送信した、前記緊急時の避難場所及び避難経路を含む地図情報を受信する地図情報受信手段と、
前記地図情報受信手段により受信された前記地図情報を、前記緊急情報通知用プログラムに従い画面に表示する表示手段と
を有することを特徴とする緊急情報通知システムに用いられる情報端末。
【請求項７】
前記プログラム受信手段は、前記緊急情報通知装置が配信したＪａｖａアプリケーションプログラムを受信して自動起動する手段であり、前記送信手段は前記位置情報として、携帯電話端末が無線通信をする基地局の情報を送信する手段であり、前記通信ネットワークは携帯電話網であることを特徴とする請求項６記載の緊急情報通知システムに用いられる情報端末。
【請求項８】
前記地図情報以外の他の緊急情報を前記緊急情報通知装置へ要求する要求手段と、該要求手段により要求した前記他の緊急情報を前記緊急情報通知装置から受信して前記緊急情報通知用プログラムに従い画面に表示する他の情報表示手段を更に有することを特徴とする請求項６又は７記載の緊急情報通知システムに用いられる情報端末。
【請求項９】
災害時などの緊急時に、緊急情報通知装置が事業者の提供する緊急情報通知サービスに予め加入しているユーザを検索し、検索したユーザが使用している情報端末に対して、前記緊急情報通知装置から通信ネットワークを介して緊急情報を通知する緊急情報通知サービス方法であって、
前記緊急情報通知装置が、前記緊急時に緊急情報通知用プログラムを、サービスに加入している前記情報端末の中から所定の情報端末を選択して配信する第１のステップと、
前記所定の情報端末が、配信された前記緊急情報通知用プログラムに従い、取得して送信した自装置が存在する位置情報を、前記緊急情報通知装置が、前記通信ネットワークを介して受信する第２のステップと、
前記緊急情報通知装置が、受信した該位置情報に基づいて前記緊急時の避難場所及び避難経路を含む地図情報を作成して前記情報端末へ送信して表示させる第３のステップと
を含むことを特徴とする緊急情報通知サービス方法。
【請求項１０】
前記第１のステップは、前記緊急情報通知用プログラムとしてＪａｖａアプリケーションプログラムを配信するステップであり、前記第２のステップは、前記Ｊａｖａアプリケーションプログラムを受信して自動起動する携帯電話端末が前記位置情報として携帯電話網を介して送信した、該携帯電話端末が無線通信をする基地局の情報を受信するステップであることを特徴とする請求項９記載の緊急情報通知サービス方法。
【請求項１１】
前記緊急情報通知装置が、前記所定の情報端末からの前記地図情報以外の他の緊急情報の要求に従い、要求された該他の緊急情報を要求元の前記所定の情報端末へ送信する第４のステップを更に含むことを特徴とする請求項９又は１０記載の緊急情報通知サービス方法。
【発明の詳細な説明】
【０００１】
【発明の属する技術分野】
本発明は緊急情報通知システム及びそれに用いる情報端末、並びに緊急情報通知サービス方法に係り、特に災害時などの緊急時に携帯電話端末などの情報端末を使用しているユーザに対して緊急情報を通知する緊急情報通知システム及びそれに用いる情報端末、並びに緊急情報通知サービス方法に関する。
【０００２】
【従来の技術】
地震、洪水、火災などの災害発生時に、避難場所や避難経路などの緊急情報を被災者に通知することが人命確保の点から必要とされるため、例えば、ホストコンピュータが中継局を介して携帯電話端末などの移動局に対して避難場所を通知する緊急情報通知システムが従来より知られている（特開平１１−２７７２８号公報：発明の名称「避難誘導システム」）。
【０００３】
この従来の緊急情報通知システムは、災害の種類並びに発生箇所などを認識し災害情報データをホストコンピュータに対して送出する防災受信装置と、中継局から個別に認識可能であって各個人が携行し無線信号により伝送可能な移動局と、移動局と無線信号によって交信可能であって施設内に配置された複数の中継局と、移動局と中継局との対応関係を格納する位置情報データベースと、防災受信装置、位置情報データベースから入力される各データに基づいて移動局に対する最適な避難経路を算出するホストコンピュータとを備え、ホストコンピュータは中継局を介して移動局に対して上記避難経路を通知することにより、ホストコンピュータが各移動局の詳細な位置を確認し、各移動局に対して、より適切な避難誘導が可能となるというものである。
【０００４】
【発明が解決しようとする課題】
しかるに、上記の従来の緊急情報通知システムは、ビルなどの施設内において、局所的に人が密集しているような状況下においても個別情報データベースの情報を基に個々の避難能力に応じた分散誘導を行うようにするもので、避難経路は予め複数あることが各移動局のユーザにおいて知られているため、ホストコンピュータから中継局を介して移動局に対して行う避難経路の通知は、災害発生場所及び複数のうちの一つの避難経路を指定する音声メッセージであり、避難経路を予め知らないような一般の携帯電話端末を有しているユーザに対して避難場所を地図などの画像情報として指示できるような汎用性がなく、災害発生時の広域の緊急情報通知網を構築することができない。
【０００５】
また、携帯電話端末（移動局）に画像情報を表示できるような機能を持たせるには、Ｊａｖａ（登録商標：以下同じ）アプリケーションなどの専用のプログラムが必要であり、避難場所の画像表示のために、そのような専用のプログラムを保持することは、通常時の携帯電話端末のリソースを浪費することとなる。
【０００６】
本発明は以上の点に鑑みなされたもので、通常時の情報端末のリソースを浪費することなく、広域の緊急情報通知網を効率良く構築し得る緊急情報通知システム及びそれに用いる情報端末、並びに緊急情報通知サービス方法を提供することを目的とする。
【０００７】
【課題を解決するための手段】
上記の目的を達成するため、第１の発明の緊急情報通知システムは、災害時などの緊急時に、緊急情報通知装置が事業者の提供する緊急情報通知サービスに予め加入しているユーザを検索し、検索したユーザが使用している情報端末に対して、緊急情報通知装置から通信ネットワークを介して緊急情報を通知する緊急情報通知システムであって、緊急情報通知装置は、緊急時に緊急情報通知用プログラムを情報端末へ配信する配信手段と、情報端末から位置情報の返信を受信する第１の受信手段と、第１の受信手段により受信した位置情報に基づいて緊急時の避難場所及び避難経路を含む地図情報を作成して情報端末へ送信する第１の送信手段とを有する構成とし、情報端末は、緊急情報通知装置から配信された緊急情報通知用プログラムをダウンロードして自動起動するプログラム受信手段と、ダウンロードされた緊急情報通知用プログラムに従い、自装置が存在する位置情報を取得して緊急情報通知装置へ送信する第２の送信手段と、緊急情報通知装置から送信された地図情報を受信する第２の受信手段と、第２の受信手段により受信された地図情報を、緊急情報通知用プログラムに従い画面に表示する表示手段とを有する構成としたものである。
【０００８】
この発明では、災害時などの緊急時に、緊急情報通知用プログラムを緊急情報通知装置から情報端末へ配信してダウンロードさせ、その緊急情報通知用プログラムに従い、自装置が存在する位置情報を情報端末から緊急情報通知装置へ送信させ、緊急情報通知装置が受信した上記の位置情報に基づいて、情報端末のユーザの緊急時の避難場所及び避難経路を含む地図情報を作成して情報端末へ送信するようにしたため、緊急時に情報端末のユーザの避難場所及び避難経路を、情報端末の画面に画像表示させることができる。
【０００９】
また、上記の目的を達成するため、第２の発明の緊急情報通知システムは、第１の発明の緊急情報通知装置の配信手段を、緊急情報通知用プログラムとしてＪａｖａアプリケーションプログラムを配信する手段としたことを特徴とする。また、第３の発明の緊急情報通知システムは、上記の情報端末を、プログラム受信手段によりＪａｖａアプリケーションプログラムを受信して自動起動する携帯電話端末とし、第２の送信手段を位置情報として、携帯電話端末が無線通信をする基地局の情報を送信する手段とし、通信ネットワークを携帯電話網としたことを特徴とする。この発明では、既存のＪａｖａアプリケーションを使った携帯電話網を利用できる。
【００１０】
また、上記の目的を達成するため、第４の発明の緊急情報通知システムは、情報端末を、地図情報以外の他の緊急情報を緊急情報通知装置へ要求する要求手段と、要求手段により要求した他の緊急情報を緊急情報通知装置から受信して緊急情報通知用プログラムに従い画面に表示する他の情報表示手段を更に有し、緊急情報通知装置は、情報端末から要求された他の情報を作成して情報端末へ送信する第３の送信手段を更に有することを特徴とする。
【００１１】
また、第５の発明の緊急情報通知システムは、緊急情報通知装置は、緊急時に配信手段により緊急情報通知用プログラムを配信した情報端末からの位置情報の返信を第１の受信手段により受信できないときは、その位置情報の返信を受信できない情報端末に対して、特定箇所に音声又はプログラムによるデータ通信にて安否の確認ができる機能を持たせた再送用緊急情報通知用プログラムを間欠的に再送する再送手段と、該再送用緊急情報通知用プログラムに対する情報端末からのデータ通信による安否情報の返信を受信するデータ通信受信手段とを更に有し、情報端末は、緊急情報通知装置からデータ通信にて送信された再送用緊急情報通知用プログラムをダウンロードして自動起動する第２のプログラム受信手段と、ダウンロードされた再送用緊急情報通知用プログラムに従い、安否情報を緊急情報通知装置に対してデータ通信にて送信する安否情報送信手段とを更に有することを特徴とする。この発明では、被災者である情報端末の使用ユーザの安否の確認がスムーズにできる。
【００１２】
また、上記の目的を達成するため、第６の発明の情報端末は、災害時などの緊急時に、緊急情報通知装置から通信ネットワークを介して緊急情報が通知される、事業者の提供する緊急情報通知サービスに予め加入しているユーザが使用している情報端末であって、緊急情報通知装置から配信された緊急情報通知用プログラムをダウンロードして自動起動するプログラム受信手段と、ダウンロードされた緊急情報通知用プログラムに従い、自装置が存在する位置情報を取得して緊急情報通知装置へ送信する送信手段と、緊急情報通知装置が受信した位置情報に基づいて作成して送信した、緊急時の避難場所及び避難経路を含む地図情報を受信する地図情報受信手段と、地図情報受信手段により受信された地図情報を、緊急情報通知用プログラムに従い画面に表示する表示手段とを有する構成としたものである。
【００１３】
この発明では、災害時などの緊急時に、情報端末が緊急情報通知装置から配信された緊急情報通知用プログラムをダウンロードして、その緊急情報通知用プログラムに従い、自装置が存在する位置情報を緊急情報通知装置へ送信させ、これにより緊急情報通知装置で上記の位置情報に基づいて作成された、情報端末のユーザの緊急時の避難場所及び避難経路を含む地図情報を受信できるようにしたため、緊急時に情報端末のユーザの避難場所及び避難経路を、情報端末の画面に画像表示することができる。
【００１４】
また、上記の目的を達成するため、第７の発明の情報端末は、上記のプログラム受信手段を、緊急情報通知装置が配信したＪａｖａアプリケーションプログラムを受信して自動起動する手段とし、送信手段を位置情報として、携帯電話端末が無線通信をする基地局の情報を送信する手段とし、通信ネットワークは携帯電話網であることを特徴とする。この発明では、情報端末として携帯電話端末を使用できる。
【００１５】
また、上記の目的を達成するため、第８の発明の情報端末は、地図情報以外の他の緊急情報を緊急情報通知装置へ要求する要求手段と、要求手段により要求した他の緊急情報を緊急情報通知装置から受信して緊急情報通知用プログラムに従い画面に表示する他の情報表示手段を更に有することを特徴とする。この発明では、避難場所及び避難経路以外の他の情報、例えば、被災情報や自治区支給物配布情報などをユーザに通知することができる。
【００１６】
また、上記の目的を達成するため、第９の発明の緊急情報通知サービス方法は、災害時などの緊急時に、緊急情報通知装置が事業者の提供する緊急情報通知サービスに予め加入しているユーザを検索し、検索したユーザが使用している情報端末に対して、緊急情報通知装置から通信ネットワークを介して緊急情報を通知する緊急情報通知サービス方法であって、緊急情報通知装置が、緊急時に緊急情報通知用プログラムを、サービスに加入している情報端末の中から所定の情報端末を選択して配信する第１のステップと、所定の情報端末が、配信された緊急情報通知用プログラムに従い、取得して送信した自装置が存在する位置情報を、緊急情報通知装置が、通信ネットワークを介して受信する第２のステップと、緊急情報通知装置が、受信した位置情報に基づいて緊急時の避難場所及び避難経路を含む地図情報を作成して情報端末へ送信して表示させる第３のステップとを含むことを特徴とする。
【００１７】
この発明では、災害時などの緊急時に、緊急情報通知装置が緊急情報通知用プログラムを情報端末へ配信してダウンロードさせ、その緊急情報通知用プログラムに従い、自装置が存在する位置情報を情報端末から緊急情報通知装置へ送信させ、緊急情報通知装置が受信した上記の位置情報に基づいて、情報端末のユーザの緊急時の避難場所及び避難経路を含む地図情報を作成して情報端末へ送信するようにしたため、緊急時に情報端末のユーザの避難場所及び避難経路を、情報端末の画面に画像表示させるサービスを、サービスに加入している所定の情報端末のユーザに提供することができる。
【００１８】
また、上記の目的を達成するため、第１０の発明の緊急情報通知サービス方法は、上記の第１のステップは、緊急情報通知用プログラムとしてＪａｖａアプリケーションプログラムを配信するステップであり、第２のステップは、Ｊａｖａアプリケーションプログラムを受信して自動起動する携帯電話端末が位置情報として携帯電話網を介して送信した、携帯電話端末が無線通信をする基地局の情報を受信するステップであることを特徴とする。この発明では、携帯電話端末のユーザに対して、緊急時に避難場所及び避難経路を、情報端末の画面に画像表示させるサービスを提供できる。
【００１９】
更に、上記の目的を達成するため、第１１の発明の緊急情報通知サービス方法は、緊急情報通知装置が、所定の情報端末からの地図情報以外の他の緊急情報の要求に従い、要求された他の緊急情報を要求元の所定の情報端末へ送信する第４のステップを更に含むことを特徴とする。この発明では、避難場所及び避難経路以外の他の情報、例えば、被災情報や自治区支給物配布情報などをユーザに通知することができる。
【００２０】
【発明の実施の形態】
次に、本発明の実施の形態について図面と共に説明する。図１は本発明になる緊急情報通知システムの一実施の形態のシステム構成図を示す。同図において、本実施の形態の緊急情報通知システムは、Ｊａｖａアプリケーションを受信できる機能を有する携帯電話端末１と、自然災害などの際に緊急情報を提供するためＪａｖａアプリケーションを携帯電話端末１へ送信したり、Ｊａｖａアプリケーションを送信する携帯電話端末１を持つユーザが居る地域の災害情報を収集したりすることができる緊急情報通知装置２と、緊急情報通知装置２からの各種情報を入力として受け、ケーブル４を介して接続された通信タワー５から無線ゾーン内の携帯電話端末１へ無線送信し、また携帯電話端末１からの信号を通信タワー５を介して無線受信する基地局３とより構成されている。
【００２１】
Ｊａｖａアプリケーションを受信できる機能を有する携帯電話端末１は、基地局３との無線通信を通して、緊急情報通知システムのサーバーである緊急情報通知装置２とのデータ通信を行い、Ｊａｖａアプリケーションを受信し、携帯電話端末１上で受信したＪａｖａアプリケーションを実行することができる。また、携帯電話端末１は、実行したＪａｖａアプリケーションからの処理要求によりＪａｖａアプリケーションからの情報を無線データとして、通信タワー５及び基地局３を介して上記の緊急情報通知装置２に送信することができる。
【００２２】
図１に示す緊急情報通知装置２は、上記携帯電話端末１からの無線データを解析し、そのデータの中から携帯電話端末１の基地局情報を取り出し、携帯電話端末１を持つユーザがどの地域にいるかを特定し、その地域の避難場所及び避難場所までの最適な避難経路を地図データと共に携帯電話端末１に基地局３を介して通知する。
【００２３】
また、上記の緊急情報通知装置２は、携帯電話端末１上のＪａｖａアプリケーションからの無線データを解析し、ユーザが望む災害情報などを提供される各方面のシステムやインターネット上から集め、最適な形に変換を行った後、携帯電話端末１に提供する。
【００２４】
次に、本発明の実施の形態の動作について、図１乃至図３と共に詳細に説明する。まず、図１に示す緊急情報通知装置２と携帯電話端末１との間で行う情報交換の処理手順について、図２のフローチャートを併せ参照して説明する。緊急情報通知装置２は、災害が発生すると（ステップ２１）、緊急情報通知サービスに予め加入しているユーザを検索し、発生した災害に関する緊急情報を送信するユーザを選択する（ステップ２２）。
【００２５】
続いて、緊急情報通知装置２は、選択したユーザの携帯電話端末１に対して基地局３を介して無線通信を開始する（ステップ２３）。携帯電話端末１と無線通信を行える状態になったら、回線事業者（通信事業者）の通信手順に従って緊急情報通信用のＪａｖａアプリケーションプログラムをユーザの携帯電話端末１に対して送信する（ステップ２４）。
【００２６】
携帯電話端末１は基地局３を介して緊急情報通知装置２から送信されたＪａｖａアプリケーションプログラムを受信して内部にダウンロードする（ステップ２５）。すると、携帯電話端末１はダウンロードした緊急情報通知用Ｊａｖａアプリケーションプログラムを、直ちに自動起動する（ステップ２６）。これは、すぐさま緊急情報をユーザに通知するためである。
【００２７】
ここで、Ｊａｖａアプリケーションプログラムの具体的な自動起動方法としては、例えば次のようにして行う。携帯電話端末１で主に使用されるＪａｖａ言語は、Ｊ２ＭＥと呼ばれる組み込み製品向けのＪａｖａ言語である。このＪａｖａ言語のプログラムは、通常、Ｊａｒファイルと呼ばれるファイルに圧縮されている。また、プログラムについての情報は、Ｊａｄファイルと呼ばれるテキストファイルに記載されている。そのテキストファイルに拡張識別子を記載し、その拡張識別子に自動起動用のフラグを設定する。
【００２８】
災害発生時に、緊急情報通知装置２は、上記のＪａｄファイルとプログラムの格納されているＪａｒファイルを、緊急情報サービスに加入しているユーザの携帯電話端末１に対して送信する（ステップ２４）。携帯電話端末１は、受信したＪａｄファイルの解析処理を行い、自動起動フラグを確認すると同時に、受信したＪａｒファイルの整合性チェックも行い、Ｊａｒファイルに問題がない場合、Ｊａｒファイルからプログラムを取り出し、Ｊａｄファイルにて指定されていた通り、自動的に緊急情報通知用Ｊａｖａアプリケーションプログラムを起動する（ステップ２５、２６）。
【００２９】
自動起動した緊急情報通知用Ｊａｖａアプリケーションプログラムは、携帯電話端末１から携帯電話端末１が現在在圏している無線ゾーンの基地局情報を解析してもらい、その基地局情報を取得する（ステップ２７）。そして、緊急情報通知用Ｊａｖａアプリケーションプログラムは、取得した基地局情報を、回線事業者（通信事業者）の通信手順に従って、基地局３を介して緊急情報通知装置２へ送信する（ステップ２８）。
【００３０】
次に、図１に示す緊急情報通知装置２から携帯電話端末１に対して緊急情報を通知する処理手順について、図３のフローチャートを併せ参照して説明する。まず、緊急情報通知装置２が図２の処理手順に従い取得した、携帯電話端末１の緊急情報通知用Ｊａｖａアプリケーションプログラムから送信された基地局情報に基づいて、携帯電話端末１のユーザの居る場所を特定する（ステップ３１）。ここでは、基地局３の基地局情報を受信するので、緊急情報通知装置２は、携帯電話端末１のユーザは基地局３の無線ゾーン内に在圏することを特定する。
【００３１】
続いて、緊急情報通知装置２は、携帯電話端末１のユーザの居る場所の近くの避難場所のデータを、インターネットや緊急情報通知装置２自体が持つデータベースなどから収集し、それを地図情報として作成する（ステップ３２）。続いて、緊急情報通知装置２は、ステップ３２で作成したユーザに最適な避難場所の地図データに対して、ユーザが避難場所へ避難するための経路やその周辺の周辺情報を付加する（ステップ３３）。
【００３２】
続いて、緊急情報通知装置２は、ユーザの携帯電話端末１に対して、ステップ３２で作成した避難場所の地図データに、ステップ３３で付加された避難経路及びその周辺情報からなる地図情報を、回線事業者（通信事業者）の通信手順に従って基地局３を介して送信する（ステップ３４）。
【００３３】
携帯電話端末１は上記の地図情報を受信すると、携帯電話端末１上で動作している緊急情報通知用Ｊａｖａアプリケーションに、受信した地図情報を渡す（ステップ３５）。緊急情報通知用Ｊａｖａアプリケーションは、上記の地図情報を受けると、その解析を行い、その中から地図情報の画像データを携帯電話端末１の画面に表示する（ステップ３６）。これにより、携帯電話端末１のユーザは、現在居る場所での最適な避難場所、避難経路及び周辺情報の画像情報を容易に取得することができる（ステップ３７）。
【００３４】
また、ユーザが受信した避難場所等の地図情報以外の他のデータが必要となった場合は、緊急情報通知用Ｊａｖａアプリケーション上で提供されるその他のデータ取得の機能を用いることによって、避難場所等の地図情報データを入手した手順と同様な手順をふむことによって、ユーザが要求する被災情報や自治区支給物配布情報などの他のデータを、緊急情報通知装置２から携帯電話端末１のユーザへ送信させて、これを携帯電話端末１の画面に表示させることができる。
【００３５】
このように、本実施の形態によれば、避難場所や避難経路などを地図などの画像情報として指示できるため、避難経路を予め知らないような一般の携帯電話端末１を有しているユーザに対しても最適な避難誘導を行わせることが可能な災害発生時の広域の緊急情報通知網を構築することができる。
【００３６】
また、この実施の形態では、緊急情報通知用Ｊａｖａアプリケーションプログラムの配信先をサーバーである緊急情報通知装置２が管理し、災害発生時にその緊急情報通知用Ｊａｖａアプリケーションプログラムを携帯電話端末１に配布するプッシュ型の方式を採用するようにしたため、通常時には携帯電話端末１上のリソースを浪費しないようにでき、また、専用の緊急情報通知用Ｊａｖａアプリケーションプログラムの配信を行うことで、災害発生時の際の連絡網を効率良く構築することができる。
【００３７】
次に、本発明の他の実施の形態について説明する。上記の実施の形態では、携帯電話端末１と緊急情報通知装置２との間で通信回線が確保できた場合について説明したが、何らかの理由により通信回線が確保できない場合がある。そこで、他の実施の形態では、図２のステップ２２で選択したユーザの携帯電話端末１と緊急情報通知装置２との間で通信が開始できない場合は、緊急情報通知装置２は、通信が開始できない選択したユーザの携帯電話端末１をリストアップし、リストアップした携帯電話端末１に緊急情報通知用Ｊａｖａアプリケーションプログラムを間欠的に再送する。
【００３８】
そして、上記の緊急情報通知用Ｊａｖａアプリケーションプログラムに、特定箇所に音声又はプログラムによるデータ通信にて安否の確認ができる機能を持たせることにより、その後に緊急情報通知用Ｊａｖａアプリケーションプログラムをダウンロードできた携帯電話端末から緊急情報通知装置２に音声又はデータ通信により安否の情報を送信できるようにし、これにより被災者である携帯電話端末使用ユーザの安否の確認をスムーズに行うことができる。
【００３９】
なお、以上の実施の形態では、説明の便宜上、ステップ２２で選択された携帯電話端末は、図１に示した携帯電話端末１の１台のみとして説明したが、実際には被災地に在圏するサービス加入ユーザ全部であるので、選択された携帯電話端末は複数台存在するが、これら複数台の携帯電話端末に対しても上記と同様の処理手順により地図情報を各携帯電話端末の画面上に表示させることができることは勿論である。同様に、基地局も複数存在することは勿論である。
【００４０】
また、以上の実施の形態では、緊急情報通知システムのサーバーである緊急情報通知装置２は１台であるとして説明したが、本発明はこれに限定されるものではなく、例えば遠隔地に全部で複数台設置することで、１台の緊急情報通知装置が被災地に存在していても、被災地に存在しない他の緊急情報通知装置を用いることで、緊急情報通知装置と被災地の携帯電話端末の双方で通信途絶が同時に発生することを防止することができる。
【００４１】
また、以上の実施の形態では、緊急情報通知用のアプリケーションプログラムの言語は、携帯電話端末でよく用いられるＪａｖａ言語であるものとして説明したが、本発明はこれに限定されるものではなく、例えば、Ｃ言語やＣ＋＋言語なども使用可能である。ただし、これらの言語のプログラムは、携帯電話端末内部のソフトのインタフェースを直に関数コールするため、携帯電話端末側のソフトと密接に関係するプログラムとなる。
【００４２】
更に、本発明が適用される情報端末は、携帯電話端末１に限定されるものではなく、家庭内でのＪａｖａアプリケーションを実行できる固定電話機やテレビジョン受像機などの家電製品も包含するものである。
【００４３】
また、更に、上記の実施の形態で説明した緊急情報通知システムに基づく緊急情報通知サービスを、通信事業者（回線事業者）が情報端末のユーザに提供することで、通信事業者（回線事業者）がサービス料を得ることもできる。また、Ｊａｖａアプリケーションを自動実行させる特別な情報端末を開発した端末メーカが、それを事業者に納入することにより、売上利益を得ることができ、通信事業者は納入されたその情報端末をユーザに販売することで販売利益を得ることができる。
【００４４】
【発明の効果】
以上説明したように、本発明によれば、緊急情報通知装置が受信した位置情報に基づいて、情報端末のユーザの緊急時の避難場所及び避難経路を含む地図情報を作成して情報端末へ送信することにより、緊急時に情報端末のユーザの避難場所及び避難経路を、情報端末の画面に画像表示させるようにしたため、避難経路を予め知らないような一般の情報端末を有しているユーザに対しても最適な避難誘導を行わせることができ、従って災害発生時の広域の緊急情報通知網を構築することができる。
【００４５】
また、本発明によれば、緊急情報通知用プログラムの配信先をサーバーである緊急情報通知装置が管理し、災害時などの緊急時に、緊急情報通知用プログラムを緊急情報通知装置から情報端末へ配信してダウンロードさせるようにしたため、通常時には情報端末上のリソースを浪費しないようにでき、また、専用の緊急情報通知用プログラムの配信を行うことで、災害発生時の際の連絡網を効率良く構築することができる。
【００４６】
また、本発明によれば、緊急情報通知装置が、所定の情報端末からの地図情報以外の他の緊急情報の要求に従い、要求された他の緊急情報を要求元の所定の情報端末へ送信するようにしたため、避難場所及び避難経路以外の他の情報、例えば、被災情報や自治区支給物配布情報などをユーザに通知することができ、これにより、自然災害の緊急時に必要な情報をユーザが希望する情報を随時的確に取得させることができる。
【００４７】
また、本発明によれば、緊急情報通知装置を、互いに遠隔地に全部で複数台設置するようにしたため、緊急情報通知装置と被災地にある情報端末の通信途絶が発生することを防止できる。
【図面の簡単な説明】
【図１】本発明の一実施の形態のシステム構成図である。
【図２】図１の動作説明用フローチャート（その１）である。
【図３】図１の動作説明用フローチャート（その２）である。
【符号の説明】
１  携帯電話端末
２  緊急情報通知装置
３  基地局
５  基地局の通信タワー
【図１】
0003969113.tif 000002
【図２】
0003969113.tif 000003
【図３】
0003969113.tif 000004